(57)【要約】      （修正有）【課題】様々な蒸解技術に簡単に適用することができ、使用する蒸解工程とは独立して含浸処理を実行する連続蒸解システムにおけるチップの含浸方法。【解決手段】少なくとも一つの含浸容器１０１と一つの蒸解釜１０２とを有する。また、蒸解システムは、頂部分離装置１０５ａから流体を引き出す第一戻りライン１０６ａと、蒸解釜１０２から黒液を引き出す黒液ライン１０８との間に配置された熱交換器１０７を備える。熱交換器１０７により、二つのライン間の熱移動が行われる。含浸容器１０１内の流体内容物の主たる部分が、チップ水分、覆水、追加白液及び第一戻しライン１０６ａの頂部分離装置から引き出された流体より成る。【選択図】図１
2007224487.tif 000002
【特許請求の範囲】
【請求項１】
連続蒸解システムにおけるチップ含浸方法であって、
前記蒸解システムが、少なくとも、
少なくとも一つの含浸容器（１０１）を備え、
該含浸容器（１０１）に未含浸チップを供給し、
該含浸容器内で、少なくとも１０分間の保持時間の間で、チップを予熱して含浸流体を使用するスラッジを形成し、
該含浸容器の頂部の圧力が、大気圧と０．５バールの過剰圧力との間にあり、
前記蒸解システムが、少なくとも、さらに、
含浸容器（１０１）内で含浸されたチップが供給される蒸解釜（１０２）と、
含浸容器（１０１）からの含浸チップを、次の容器の頂部に配置された頂部分離装置（１０５ａ／１０５ｂ）へ供給する供給ライン（１０３）と、
蒸解釜（１０２）から引出ろ過器（１０４）を通して熱い黒液を引き出し、次いで、黒液を再生工程（ＲＥＣ）へ送るための黒液ライン（１０８）と、
頂部分離装置（１０５ａ／１０５ｂ）から引き出された流体を含浸容器（１０１）へ導くための第一戻りライン（１０６ａ／１０６ｂ）と、
第一戻りライン（１０６ａ／１０６ｂ）と黒液ライン（１０８）との間に配置され、二つのライン間の熱移動を行い、第一戻りライン（１０６ａ／１０６ｂ）内の流体を加熱するための熱交換器（１０７）と、
含浸容器（１０１）、供給ライン（１０３）、頂部分離装置（１０５ａ／１０５ｂ）及び第一戻りライン（１０６ａ／１０６ｂ）から成る移送流と
を備えた連続蒸解システムにおけるチップ含浸方法において、
チップ混合体を頂部分離装置（１０５ａ／１０５ｂ）において脱水した後に、木材１トン当たり３．５ｍ３未満の流体をチップと共に蒸解釜内へ供給し、
木材１トン当たり７〜２５ｍ３の流体をチップと共に、頂部分離装置（１０５ａ／１０５ｂ）に繋がる供給ライン（１０３）内へ供給し、
脱水した後に、木材１トン当たり５〜２３ｍ３の流体を、頂部分離装置（１０５ａ／１０５ｂ）から第一戻りライン（１０６ａ／１０６ｂ）へ導き、
含浸容器に加えられる流体総量の７５％以上が、第一戻りライン（１０６ａ／１０６ｂ）に引き出された流体より成り、
移送流に加えられる木材１トン当たり０．５ｍ３未満の流体が、追加させる白液以外の流体より成り、
含浸容器（１０１）の流体内容物の主たる部分が、チップ水分、覆水、追加白液及び第一戻しライン（１０６ａ）の頂部の頂部分離装置から引き出された流体より成り、
それにより、含浸容器内の含浸流体が、蒸解釜からの黒液を一切含有せず、かつ、含浸容器が水力学的に分離して確立され、含浸容器内において、流体の流れと、そのアルカリ含有量の確立とが、蒸解処理における流体の流れの影響を何も受けないようにした
ことを特徴とする連続蒸解システムにおけるチップ含浸方法。
【請求項２】
流体の一部が、ろ過器（１０４）を通して含浸容器（１０１）から引き出され、再生工程（ＲＥＣ）へ送られる
ことを特徴とする請求項１に記載の方法。
【請求項３】
第一戻りライン（１０６ａ／１０６ｂ）内の流体の一部が、熱交換機（１０７）を通過した後、第二戻りライン（１１６）を介して含浸容器（１０１）の底部へ送られる
ことを特徴とする請求項１又は２に記載の方法。
【請求項４】
第二戻りライン（１１６）内の流体の一部が、含浸容器（１０１）の底部に送られる前に、第二熱交換器（１１７）を通過することによって、さらに加熱される
ことを特徴とする請求項３に記載の方法。
【請求項５】
黒液が、黒液ライン（１０８）を介して第二熱交換器（１１７）へ導かれ、
第二熱交換機（１１７）において、黒液ライン（１０８）内の黒液から、第二戻りライン（１１６）内の流体への熱移動が行われる
ことを特徴とする請求項４に記載の方法。
【請求項６】
頂部分離装置（１０５ａ）が、蒸解釜（１０２）の頂部に配置されている
ことを特徴とする請求項１〜５の何れか一項に記載の方法。
【請求項７】
頂部分離装置（１０５ｂ）が、第二含浸容器（２０１）の頂部に配置され、
該頂部分離装置（１０５ｂ）において、チップがさらに含浸され、次いで、含浸チップが、チップライン（２０３）を介して、次の蒸解釜（１０２）の頂部に配置された頂部分離装置（２０２）へ供給される
ことを特徴とする請求項１〜５の何れか一項に記載の方法。
【請求項８】
蒸解釜（１０２）の頂部分離装置（１０５ａ）から流体が引き出され、
この引き出された流体が、第二含浸容器（２０１）の底部に繋がる流体ライン（２０５）内に導かれる
ことを特徴とする請求項７に記載の方法。
【請求項９】
第二含浸容器が、少なくとも５バールの過剰圧力下におかれる
ことを特徴とする請求項７又は８に記載の方法。
【請求項１０】
白液の総追加量の３０％以上が、第一戻りラインで形成される
ことを特徴とする請求項１〜８の何れか一項に記載の方法。
【発明の詳細な説明】
【技術分野】
【０００１】
本発明は、請求項１の前文に記載の連続蒸解システムにおけるチップの含浸方法に関する。
【背景技術】
【０００２】
２容器システム(two-vessel system)において化学セルロースパルプを連続蒸解している間に、蒸解釜の様々な位置から、一定水準の残留アルカリと共に、蒸解温度で、「黒液(black liquor)」として公知の蒸解液の廃液又は蒸解液の廃液の一部を排出し、次いで、この圧力が部分的に又は完全に解放された蒸解液の廃液を、約９０℃〜１２０℃の温度で、含浸のための含浸容器に導く方法は公知である。この方法は、「黒液含浸法」として公知である。この種の含浸処理の最も重要な目的は、アルカリ黒液の良好な含浸を行い、チップを完全に中和して、チップにアルカリｐＨを与えることにある。別の目的は、蒸解液の廃液の熱をより多く保存し、含浸容器内の冷たいチップを加熱することができるようにすることにある。
【０００３】
黒液含浸法に関して熱い黒液の熱の一部を保存することも公知である。この従来の方法は、減圧サイクロン(pressure-reduction cyclones)によって分離された蒸気の圧力を通して実行され、ここでは、他の方法の中でも、このフラッシュ蒸気(flash steam)が、チップの予備処理又は他の加熱目的のために使用される。黒液を熱交換器に通すことによって黒液からの熱エネルギを保存することも公知である。
【０００４】
スウェーデン特許ＳＥ５１８９５７Ｃ２号には、連続蒸解システムにおいて熱効率を改善する方法が開示されている。この場合、熱い黒液は、蒸解釜に繋がる供給ライン内のチップの熱を上げることを目的として蒸解釜から引き出され、含浸容器の底部に戻される。加熱流体の一部が、頂部分離装置で供給ラインから引き出され、含浸流体として作用するために含浸容器に送られる。
【０００５】
スウェーデン特許ＳＥ５１８７３８Ｃ２号には、連続蒸解システムにおけるチップの含浸処理を改善ための方法及び構造が開示されている。スチームによる前処理が施されていないチップは含浸容器に供給され、含浸容器内で確立される流体レベル(LIQ_LIV)は、チップの最大レベル(CH_LEV)より低い。
改良されたチップの含浸構造は、様々な位置(P1, P2, P3)で、温度を上昇させることにより最大蒸解温度を持った蒸解液の形態の含浸流体（BL1/BL2/BL3)を追加することと、含浸容器の最高部で逆流ゾーン(Z1)を確立することとによって達成される。
この方法では、蒸気予備処理のための要求は相当に減り、同時に、排出される弱ガス(weak gasses)の量が最小限に減少する。木材内の容易に揮発する化合物の大部分が、含浸廃液(RCE)内に留められる。
【０００６】
米国特許ＵＳ５，６７９，２１７号は、移送流体を蒸解釜の頂部分離装置から引き出す含浸方法を開示している。さらに、引出ろ過器（８）を通して蒸解釜から黒液が引き出される。頂部分離装置から引き出された流体と黒液とは、ライン（１１）で混合され、含浸容器に戻される。ライン（１１）における混合物の一部は、含浸流体として作用するために含浸容器の出発点に導かれる。ライン（１１）における混合物の第二の部分は、チップを予熱し、かつ、移送流体として作用するために加熱された後、含浸容器の底部に導かれる。この含浸方法の目的は、蒸解工程の間、流体と木材との比率を最適化することにある。
【０００７】
スウェーデン特許ＳＥ５２７０５８号は、含浸容器内の含浸後のチップを、循環流体と共に、次の蒸解釜の頂部分離装置に繋がる供給ラインに供給する方法を開示している。循環流体の一部は、頂部分離装置で引き出され、戻しラインを介して含浸容器の底部に戻される。黒液は、蒸解釜から引き出され、黒液ラインを介して含浸容器を通過する。戻しラインと黒液ラインとの間には、熱交換器が配置されている。この熱交換器は、流体を交換することなく二つのライン間の熱移動を可能にする。熱交換器を通過した後は黒液の温度は下がり、同時に、戻しラインの温度が上がる。この従来に係る発明では、黒液含浸は低温で行われ、同時に、チップは含浸容器の底部で加熱されるため、蒸解釜の頂部における蒸気による加熱の必要性が十分に低減している。
【０００８】
上述した全ての含浸技術の特徴は、使用される含浸流体が完全に、又は部分的に、蒸解釜から引き出された蒸解液よりなるので、含浸処理に用いられる含浸流体が、蒸解プラントで用いられる蒸解工程に適合させるために直接的に用いられることにある。
【発明の開示】
【発明が解決しようとする課題】
【０００９】
本発明の第一の目的は、連続蒸解システムにおけるチップの含浸方法を提供することにあり、この含浸方法は、例えば、ＬＯ−Ｓｏｌｉｄｓ法、ＭＭＣ法及びＥＭＭＣ法のような様々な蒸解技術に簡単に適用することができ、使用する蒸解工程とは独立して含浸処理を実行することができる。
【００１０】
本発明の第二の目的は、含浸流体が、蒸解釜から引き出された蒸解液より成らず、もっぱら、含浸容器自身の流量に白液を追加したものより成る含浸方法を提供することにある。
【００１１】
本発明の第三の目的は、既に蒸解プラント内にある流体の流れを使用することによって、様々な蒸解工程内で容易に実施することができる含浸を得ることにある。
【００１２】
本発明の第四の目的は、蒸解釜から引き出された黒液を含浸流体として使用することを避けることにある。
【００１３】
本発明の第五の目的は、含浸流体を加熱するために、再生工程へ送られるべき黒液からの熱エネルギを使用することにある。
【００１４】
上述した目的は、特許請求の範囲の請求項１の特徴部分による方法によって達成される。
【課題を解決するための手段】
【００１５】
上記した目的は、含浸容器内で、蒸解釜から引き出された黒液を含浸流体として使用しないことにより達成される。代わりに、頂部分離装置から引き出された流体が、含浸流体として使用される。頂部分離装置から引き出された流体は、含浸容器からの出口と、頂部分離装置との間の供給ライン内にある流体より成る。含浸流体（頂部分離装置から引き出された流体）を含浸容器に導く前に、熱い黒液から含浸流体への熱移動を行う熱交換器に流体を通すことによって流体は加熱される。熱い黒液の熱容量を、頂部分離装置からの戻りライン中の流体の加熱に使用した後、熱い黒液は再生工程へ送られる。
【００１６】
もっぱら含浸容器自身からの流体の流れと、含浸のために用いられる追加白液との使用を通して、この含浸方法は、例えば、ＬＯ−Ｓｏｌｉｄｓ法、ＭＣＣ法及びＥＭＣＣ法のような様々な蒸解工程における含浸方法に非常に簡単に適用できるようになる。
【発明を実施するための最良の形態】
【００１７】
「移送流(移送流：transfer flow)」という概念が以下の説明で用いられる。用語「移送流」は、この明細書では、含浸容器（１０１）、供給ライン（１０３）、頂部分離装置（１０５ａ／１０５ｂ）、第一戻りライン（１０６ａ／１０６ｂ）及び第二戻りライン（１１６）により成立する流体の流れを意味するものとして用いられる。
【００１８】
また、「未含浸チップ(unimpregnated chips)」という概念が用いられる。この用語「未含浸チップ」は、スチーム予備処理がなされていないか、又は含浸されてなく、繊維内腔に含浸液が浸透していないようなチップを意味するものとして用いられる。それらのチップには、他方では、チップの表面上に残る薬品が吹き付けられ得る。
【００１９】
図１は、本発明による連続蒸解システムにおけるチップ含浸方法の第一の好ましい実施例を示している。
【００２０】
蒸解システムは、少なくとも一つの含浸容器（１０１）を備え、この含浸容器（１０１）に未含浸チップが供給される。それらのチップは、含浸容器（１０１）の中で予熱され、含浸液内で少なくとも１０分間の保持時間の間、含浸液を使用してスラッジ（sludge）にされる。含浸容器の頂部の圧力は、大気圧と０．５バールの過剰圧力との間にある。含浸容器内の含浸温度は、１００〜１４０℃の範囲にある。含浸が完了すると、含浸済チップは、含浸容器の底部に配置された排出口を通して含浸容器から排出される。
【００２１】
含浸容器（１０１）から排出された含浸済チップは、その後、次の容器（１０２）の頂部に配置された頂部分離装置（１０５ａ）に繋がる供給ライン（１０３）内に送り込まれる。木材１トンにつき、一緒に移動する流体の総量は、７〜２５ｍ３の範囲にある。この流体はチップ混合体と共に、供給ライン（１０３）内を頂部分離装置（１０５ａ）まで移動する。
【００２２】
チップ混合体を頂部分離装置（１０５ａ／１０５ｂ）の頂部に到達させるために、供給ライン（１０３）内のチップ混合体を昇圧機構（図示せず）による加圧下におく必要がある。この昇圧機構は、例えば、一つ又は複数のポンプ、高圧タップ、又はそれらの等価物で構成され得る。
【００２３】
それらのチップは、蒸解釜の中で、１３０〜１８０℃の範囲、好ましくは、１４０〜１６０℃の範囲の所定の蒸解温度で蒸解される。蒸解済チップ（パルプ）は、蒸解が完了した後に、蒸解釜の底部に設けられた排出口を通して蒸解釜から送り出される。
【００２４】
流体の一部は、供給ライン（１０３）における頂部分離装置（１０５ａ）から引き出され、第一戻しライン（１０６ａ）で含浸容器（１０１）に導かれ、そして、含浸容器（１０１）内で含浸液として用いられる。脱水後に第一戻しライン（１０６ａ）で頂部分離装置（１０５ａ）から導かれる流体の総量は、木材１トンにつき５〜２３ｍ３である。チップ混合体が頂部分離装置（１０５ａ）内で脱水された後、木材１トンにつき、３．５ｍ３未満の流体が、チップと共に蒸解釜の中に移動する。
【００２５】
含浸容器に加えられる流体の総量の７５％以上が、第一戻りライン（１０６ａ）で引き出された流体から成る。
【００２６】
蒸解釜（１０２）の引出ろ過器（１０４）から、熱い黒液が黒液ライン（１０８）へ引き出される。黒液ライン（１０８）に引き出される黒液は、本質的に蒸解温度を維持しており、かつ、本質的に完全な蒸解圧力を維持している。そして、黒液ライン（１０８）に引き出される黒液のアルカリ含有量は、１０ｇ／ｌより低い。黒液ライン（１０８）内の黒液は、次いで、再生工程（ＲＥＣ）へ導かれる。第一熱交換器（１０７）は、第一戻りライン（１０６ａ）と黒液ライン（１０８）との間に配置される。第一熱交換器（１０７）は、二つのライン間の熱交換を行い、それにより、第一戻りライン（１０６ａ）内の流体が加熱される。第一熱交換機（１０７）において、二つのラインの中にある流体間の流体交換は生じない。
【００２７】
蒸解工程に加えられる白液の総量の５０％以上が、移送流に加えられる。移送流に加えられる白液の量は、木材１トンにつき少なくとも１ｍ３に達する。この追加白液は、第一戻りライン（１０６ａ／１０６ｂ）に加えられることが好ましい。また、総追加白液の少なくとも３０％が第一戻りラインに加えられることが好ましい。
【００２８】
追加白液に加えて、他の流体を移送流に加えることができる。これらは、例えば、黒液又は洗浄液であり得、それらは、それらの範囲に制限され、移送流内で十分に高い流体・木材比率を得るために追加流体としてのみ作用する。「メイクアップ流体(make-up fluids)」又は「追加流体(additional fluids)」として公知のこれらの流体は、含浸液として作用することを意図するものではない。移送流に加えられる木材１トン当たり０．５ｍ３未満の流体は、追加白液以外の流体よりなる。
【００２９】
含浸容器（１０１）の流体内容物の主たる部分は、チップ水分(chips moisture)、覆水(steam condensate)、追加白液(added white liquor)及び第一戻しライン（１０６ａ）の頂部分離装置から引き出された流体より成り、従って、含浸容器内の含浸流体は、蒸解釜からの黒液を一切含まない。この方法では、含浸容器は、水力学的に分離されており(hydraulically isolated)、その内部では、流体の流れと、そのアルカリ含有量(alkali content)の確立(establishment)が、蒸解処理における流体の流れからの影響を何も受けることなく行われる。
【００３０】
流体の一部は、ろ過器（１１４）を通して含浸容器（１０１）から引き出され、再生ライン（１１５）を通して再生工程（ＲＥＣ）に送られ得る。
【００３１】
また、図１には第二の好ましい実施例も示されている。この実施例は、第一実施例に構成要素を追加したものである。第一戻りライン（１０６）における流体の一部は、第一熱交換器（１０７）を通過した後に、第二戻りライン（１１６）に導かれる。第二戻りライン（１１６）では、流体は含浸容器（１０１）の底部に導かれ、チップが含浸容器から導き出される前に、それらを予熱し、かつ、希釈(dilute)する。
【００３２】
この第二実施例は、その他の点では、第一の好ましい実施例と同一である。
【００３３】
図２は、第三の好ましい実施例を示している。この実施例では、頂部分離装置（１０５ａ）から引き出され、含浸容器（１０１）に導かれる流体を加熱するために第二熱交換器（１１７）が設けられている。
【００３４】
この場合、引き出された黒液は、黒液ライン（１０８）で第二熱交換器（１１７）に導かれる。黒液は、その後、再生工程（ＲＥＣ）に送られる前に第一熱交換機（１０７）に導かれる。
【００３５】
既に示した実施例の方法に相当する方法では、引き出された流体は、第一熱交換機（１０７ａ）を通過した後に、第一戻りライン（１０６ａ）で含浸容器の上部に導かれる。第一熱交換機（１０７ａ）では、流体は、黒液ライン（１０８）内の黒液からの熱移動を経て加熱される。
【００３６】
移送流体の一部は、第一熱交換器（１０７）を通過した後、第一戻りライン（１０６）内で第二戻りライン（１１６）に導かれる。第二戻りライン（１１６）では、流体は第二熱交換器（１１７）を通過し、黒液ライン（１０８）内の黒液からの熱交換によって加熱される。第二熱交換器（１１７）で加熱された後、循環流体の一部は、第二戻りライン（１１６）で含浸容器（１０１）の底部に導かれ、チップが供給ライン（１０３）に供給される前に、チップを予熱する。
【００３７】
第三の実施例は、その他の点では、上述の第一実施例と同一である。
【００３８】
第四及び第五の好ましい実施例が図３に示されており、これらの実施例は、図１に示した実施例に、第二含浸容器（２０１）を設けたものである。第四実施例では、含浸されたチップは、第一含浸容器（１０１）から送り出され、供給ライン（１０３）を通過して、加圧型第二含浸容器（２０１）の頂部に配置された頂部分離装置（１０５ｂ）に到達し、第二含浸容器（２０１）内でチップはさらに含浸させられる。第二含浸容器の圧力レベルは、容器（２０１）の頂部において少なくとも５バールの過剰圧力である。チップは、含浸容器内での含浸が完了した後、チップライン（２０３）で、次の蒸解釜（１０２）の頂部に配置された頂部分離装置（２０２）へ供給される。
【００３９】
流体は、蒸解釜（２０２）の頂部分離装置から引き出され、次いで、第二含浸容器（２０１）の底部に導かれ、チップライン（２０３）へのチップの出力を促進する。
【００４０】
流体の一部は、供給ライン（１０３）における頂部分離装置（１０５ｂ）から引き出され、次いで、第一戻りライン（１０６ｂ）で含浸容器（１０１）へ導かれ、含浸容器（１０１）内で含浸流体として作用する。
【００４１】
第一熱交換器（１０７）が、第一戻りライン（１０６ｂ）と黒液ライン（１０８）との間に配置されている。第一熱交換器（１０７）により、二つのライン間の熱移動が行われ、第一戻りライン（１０６ｂ）内の流体が加熱される。第一熱交換器（１０７）では、二つのライン内の流体間の流体交換は行われない。
【００４２】
図３に示された第四の実施例は、その他の点では、図１に示した第一実施例と同一である。
【００４３】
第五の好ましい実施例も図３に示されており、この実施例は、第四実施例に構成要素を追加したものである。流体の一部は、第一熱交換器（１０７）を通過した後に、第一戻りライン（１０６）で第二戻りライン（１１６）に導かれる。第二戻りライン（１１６）では、流体は、含浸容器の底部に導かれ、チップが含浸容器から送り出される前に、チップを予熱し希釈する。
【００４４】
本発明の第六の好ましい実施例が図４に示されている。この実施例は、図２に示した第三の好ましい実施例に、第二含浸容器（２０１）を設けたものである。含浸されたチップは、含浸容器（１０１）から送り出され、次いで、供給ライン（１０３）を通過して、第二含浸容器（２０１）の頂部に配置された頂部分離装置（１０５ｂ）に到達し、第二含浸容器（２０１）でさらに含浸される。第二含浸容器の圧力レベルは、容器（２０１）の頂部において少なくとも５バールの過剰圧力である。チップは、含浸容器内での含浸が完了した後に、チップライン（２０３）で、次の蒸解釜（１０２）の頂部に配置された頂部分離装置（２０２）に供給される。
【００４５】
流体は、蒸解釜（２０２）の頂部分離装置から引き出され、次いで、第二含浸容器（２０１）の底部に導かれ、そこで、チップライン（２０３）へのチップの出力を促進する。
【００４６】
流体の一部は、供給ライン（１０３）における頂部分離装置（１０５ｂ）から引き出され、次いで、第一戻りライン（１０６ｂ）で含浸容器（１０１）へ導かれ、含浸容器（１０１）内で含浸流体として作用する。
【００４７】
第一熱交換器（１０７）が、第一戻りライン（１０６ｂ）と黒液ライン（１０８）との間に配置されている。第一熱交換器（１０７）により、二つのライン間の熱移動が行われ、第一戻りライン（１０６ｂ）内の流体が加熱される。第一熱交換器（１０７）では、二つのライン内の流体間の流体交換は行われない。
【００４８】
図４に示した第六の実施例は、その他の点では、図２に示した第三の実施例と同一である。
【００４９】
本発明による含浸方法は、従来技術に対して、以下の効果及び他の効果を奏する。
・含浸処理が、使用される蒸解処理とは別個に実行され得るので、含浸工程を、例えば、ＬＯ−Ｓｏｌｉｄｓ法、ＭＣＣ法及びＥＭＣＣ法のような様々な蒸解技術に対して簡単に適応させることができる。
・含浸容器（１０１）の流体内容物の主たる部分が、チップ水分(chips moisture)、覆水(steam condensate)、追加白液(added white liquor)及び第一戻しライン（１０６ａ）の頂部分離装置から引き出された流体より成るので、含浸容器内の含浸流体が蒸解釜からの黒液を一切含まない。この方法では、含浸容器は、水力学的(hydraulically)に分離(isolate)して確立され、その内部では、流体の流れと、そのアルカリ含有量(alkali content)の確立が、蒸解処理における流体の流れからの影響を何も受けることなく行われる。
【００５０】
本発明は、上記した説明の範囲に制限されることなく、特許請求の範囲の範囲内において様々な変更を加えることができる。例えば、頂部分離装置（１０５ａ／１０５ｂ）と含浸容器（１０１）との間の戻りライン（１０６ａ／１０６ｂ）内に複数の熱交換器を設けることができる。
【図面の簡単な説明】
【００５１】
【図１】本発明による第一及び第二の好ましい実施例を示している。
【図２】本発明による第三の別の実施例を示しており、この実施例では、頂部分離装置から流体を排出する部分が、含浸容器の底部に導かれている。
【図３】本発明による第四及び第五の別の実施例を示しており、この実施例では、蒸解システムは第二の含浸容器を備えている。
【図４】本発明による第六の別の実施例を示しており、この実施例では、蒸解システムは第二の含浸容器を備えている。
【図１】
2007224487.tif 000003
【図２】
2007224487.tif 000004
【図３】
2007224487.tif 000005
【図４】
2007224487.tif 000006
【外国語明細書】
2007224487.tif 000007
2007224487.tif 000008
2007224487.tif 000009
2007224487.tif 000010
2007224487.tif 000011
2007224487.tif 000012
2007224487.tif 000013
2007224487.tif 000014
2007224487.tif 000015
2007224487.tif 000016
2007224487.tif 000017
2007224487.tif 000018
2007224487.tif 000019
2007224487.tif 000020
2007224487.tif 000021
2007224487.tif 000022
2007224487.tif 000023
2007224487.tif 000024
2007224487.tif 000025